(57)【要約】      （修正有）【課題】ドアーの下端部に磁石の作用によって取着し、ドアーを開閉自在とし、簡単な操作でドアーを開放位置に確実に停止するドアー開閉停止金具を提供する。【解決手段】ドアー停止金具１には、正面部に昇降桿６を上下する昇降把手８を設け、裏面部には、磁性入り弾性板９を接着する。下部内方にドアーの下部に圧接する押し上げ突起部５を突設する。昇降桿６の下端にＴ字型の下部押圧片７を形成したことを特徴とする。【選択図】  図６
2005163510.tif 000002
【特許請求の範囲】
【請求項１】
各種のドアーの下部に装着して使用する磁着用のドアー開放停止金具において、ドアー停止金具本体（１）には、正面部（２）に、昇降桿（６）を上下作動する回動自在の昇降把手（８）を設け、裏面部（３）には、内部に磁性体を挿入した磁性入り弾性板（９）を接着し、且つ該裏面部（３）には、下部内方にドアー（１３）の下部に圧接する押し上げ突起部（５）を形成し、該昇降桿（６）には、下端にＴ字型となる下部押圧片（７）を形成し、該下部押圧片（７）には、下端に滑り止め用の弾性体（１１）を接着したことを特徴とした磁着用のドアー開閉停止金具。
【発明の詳細な説明】
【技術分野】
【０００１】  本発明は、ドアーの表面及び裏面の下端部に磁力の作用による取着状態でドアーを開閉自在とすると共に、容易な操作で確実にドアーや引き戸等を開放位置に停止することができる磁着用のドアー開閉停止金具に関するものである。
【背景技術】
【０００２】  従来この種のドアー開放停止金具は、各種散見されるが、一般的な三角形の弾性体のものは、不使用の時には、外して置くために紛失したりする欠点がある。
また、金属製の停止金具も各種散見されているが、ドアーの下端に装着し、下端のゴム座等で停止するものでは、強風等のための前後の摺動によっては容易に移動しやすく、停止の役目を果すことが出来ないものが多々存在している現状である。
【発明の開示】
【発明が解決しよとうする課題】
【０００３】  従来の技術で述べた三角形のドアー止め具を押し込み使用したものでは、外して置く為に紛失等による探す手間と、停止作業が大変に面倒で確実性がないと云う問題がある。
また、金属製の停止金具は、構造的にかなりの無理があるため、容易に破損したり、操作に確実性が無いと云う問題点もある。
本発明は、従来の有する問題点を解決するものであり、その目的とする所は、ドアー停止金具をドアーの底部と床面との相反する押圧力によって、確実に不動のものとすると共に、Ｔ字型の下部押圧片によってドアーの前後の振れに対して底面がガタ付く事なく静止し、且つ常時、ドアーの前後の表裏面に不用時には、確実に接着して開閉に何等邪魔にならない優れた点がある。また、ドアーの端面にも装着できるので、壁面等に対しても水平状態に停止も可能となる優れた点もある。
【課題を解決するための手段】
【０００４】  本発明は、上記目的を達成するために、ドアー停止金具本体の正面部に昇降桿を上下に回動作動する昇降把手を設ける。また、裏面部には、内部に磁性体が混入された磁性入り弾性板を全面に接着してある。
また、裏面部には、下部の内方に向ってドアーの下部内方にドアーの下面に圧接する押し上げ突起部を形成してある。
更に、該昇降桿には、下端の圧接部をＴ字型とした安定のより下部押圧片を形成する。そして、下部押圧片の下端に滑り止め用の弾性体を接着して停止を確実にしたものである。
【発明の効果】
【０００５】  以上説明したように、本発明の磁着用のドアー開閉停止金具によれば、ドアー停止金具をドアーの下端に取付ける事により、ドアー止め具を使用しない時には、ドアーの下部に磁力によって強固に取着でき、ドアーを停止する場合には、昇降把手の回動によって容易確実にドアーを持ち上げようとする力によって不動のものとする効果がある。
そして、使用時には、正面部に設けた昇降把手の回動によって昇降桿が容易に作動して床面を強固に圧着する効果がある。また、ドアー停止金具本体の背面に設けた磁性入り弾性板によっては、ドアーの下端表裏に装着した状態でドアーの開閉操作が自由にできる便利な効果がある。更に、裏面部の下端に設けた押し上げ突起部は、ドアーの底部より圧接時には絶対に分離することがない効果がある。また、昇降桿の下端に設けたＴ字型の下部押圧片によれば、ドアーの開放時において、前後の移動に対してもＴ字型の下端が安定的に床面に接触し、停止金具本体は衝撃等に対しても移動せずに停止位置に維持できる効果がある。
更に、押圧停止力が強力なためにスチール等の重いドアーの停止にも充分使用できる便利な効果がある。
【発明を実施するための最良の形態】
【０００６】  本発明のドアー停止金具本体は、図５の示す如く、ドアー（１３）の表面または裏面の下端に下部押圧片（７）を上昇した状態で磁性入り弾性板（９）を磁着してドアー（１３）の開閉操作を自由に使用する。次に、ドアー（１３）を開放する場合は、ドアー（１３）の開閉位置において、昇降把手（８）の回動によって昇降桿（６）を下降させ、床面（１４）に対して下部押圧片（７）を滑り止め用の弾性体（１１）を介して図６の如く圧接すれば、希望の位置にドアー（１３）を開放状態に維持できるものである。また、ドアー（１３）を閉扉する場合には、昇降把手（８）の回動により図５の如く、昇降桿（６）を上昇すれば、ドアー（１３）は、開閉が自由となるものである。
【実施例１】
【０００７】  本発明の実施例を図面について説明すると、図１は正面図で、図２はその側面図であり、金属等よりなるドアー停止金具本体（１）には、正面部（２）と、裏面部（３）とを有し、該正面部（２）には、昇降桿（６）を上下に昇降する回動自在の昇降把手（８）を装設してある。該裏面部（３）には、略全面に、所定厚さよりなる弾性体の内部に磁粉等を混合した磁性入り弾性板（９）を接着してある。
更に、該ドアー停止金具本体（１）には、下端にドアー（１３）の底面を上方に押し上げ維持する押し上げ突起部（５）をドアーの底面に対して比較的長く突設してある。該押し上げ突起部（５）には、外周にゴム等の弾性体（１０）を被着してある。
また、昇降把手（８）の回動により上下に移動する該昇降桿（６）には、下端に該昇降桿（６）に対して圧接力を増加するためのＴ字型に形成した下端押圧片（７）を形成してある。該下端押圧片（７）には、床面（１４）と接触する下面にゴム等の摩擦を有する滑り止め用の弾性体（１１）を全面に接着してある。
【図面の簡単な説明】
【０００８】
【図１】  本発明の正面図である。
【図２】  同じく本発明の側面図である。
【図３】  本発明の昇降桿が下降した状態の背面図である。
【図４】  同じく本発明の図３の側面図を示したものである。
【図５】  本発明をドアーの下端に装着して開閉自在を示す一部欠除した正面図である。
【図６】  本発明のドアーの端面に装着してドアーを停止状態とした一部欠除した側面図である。
【符号の説明】
【０００９】１      ドアー停止金具本体
２      正面部
３      裏面部
５      押し上げ突起部
６      昇降桿
７      下部押圧片
８      昇降把手
９      磁性入り弾性板
１０    弾性体
１１    滑り止め用の弾性体
１３    ドアー
１４    床面
【図１】
2005163510.tif 000003
【図２】
2005163510.tif 000004
【図３】
2005163510.tif 000005
【図４】
2005163510.tif 000006
【図５】
2005163510.tif 000007
【図６】
2005163510.tif 000008